(57)【要約】【課題】  綺麗な音質の音声信号をスピーカーから再生させるカラオケシステム等。【解決手段】  本発明は、マイクと、歌唱者の選曲データ等を入力するためのキー入力部と、マイクからの音声信号をデジタル信号で出力するデジタル変換モジュールと、キー入力部からの信号とデジタル変換モジュールからの信号を一つの信号にして出力するＣＰＵと、ＣＰＵからの信号に拡散コードを用いて、ＣＤＭＡ方式によりカラオケ装置に伝送する無線送信モジュールとを備える。カラオケ装置は、マイクからの信号を逆拡散させてから復調して、デジタル信号を取り出し、これをデコードして、デジタル化音声信号と制御信号とに分離し、音声信号に該当するデジタルデータをアナログ音声信号に変換し、スピーカーを介して出力し、デコードされたカラオケ装置の機能制御信号及びアンプ動作制御信号に相応する機能制御及びアンプ制御を行う。【選択図】  図３
2006293253.tif 000002
【特許請求の範囲】
【請求項１】
スピーカーを介して再生される演奏音に従って歌唱する歌唱者の音声信号を電気的な信号に変換するマイクと、
歌唱者の選曲データとカラオケ装置の機能制御及びアンプ動作制御のためのキー信号とを入力受けるキー入力部と、
前記マイクから入力される歌唱者の音声信号をデジタル信号に変換し、出力するデジタル変換モジュールと、
前記キー入力部から入力されるキー信号と前記デジタル変換モジュールから入力されるデジタル音声信号とを一つの信号にエンコードして出力する機能処理ＣＰＵと、
前記機能処理ＣＰＵから入力されたデジタル信号に拡散コードを用いて、ＣＤＭＡ方式により前記カラオケ装置に伝送する無線送信モジュールと
を包含する無線マイク用カラオケ装置において、前記デジタル無線マイクから伝送される信号を逆拡散させてから復調して、前記デジタル信号を取り出し、且つ、これをデコードして、デジタル化された音声信号と制御信号とに分けて、音声信号に該当するデジタルデータをアナログ音声信号に変換し、スピーカーを介して出力し、且つ、前記デコードされたカラオケ装置の機能制御信号及びアンプ動作制御信号に相応する機能制御及びアンプ制御を行うことを特徴とする、カラオケ装置の選曲機能とアンプ調節機能とが内臓されたデジタル無線マイク。
【請求項２】
前記デジタル変換モジュールは、
前記マイクから入力されるアナログ波形の歌唱者音声信号のデジタル変換を制御するＣＰＵと、
前記ＣＰＵの制御によって、前記マイクから入力されるアナログ波形の歌唱者音声信号をデジタル信号に変換し、前記機能処理ＣＰＵに出力するＡＤＣと、
デジタル変換のための駆動プログラムが記録されているＲＡＭと
を含んで構成されたことを特徴とする、請求項１に記載のカラオケ装置の選曲機能とアンプ調節機能とが内臓されたデジタル無線マイク。
【請求項３】
現在、再生されている演奏音に従って歌唱するアナログ波形の歌唱者音声信号をデジタル信号に変換し、カラオケ装置に伝送し、且つ、これを受信してカラオケ装置につながったスピーカーを介して再生、出力し得るように構成するデジタル無線マイクを用いたカラオケシステムにおいて、
選曲とカラオケ装置の機能制御及びアンプ動作制御のための入力ボタン等が備わり、歌唱する歌唱者のアナログ音声信号をデジタル信号に変換し、且つ、デジタル信号に変換された歌唱者の音声信号と、歌唱者入力の制御信号とをエンコードして、予め設定されていた拡散コードを利用し、ＣＤＭＡ方式(拡散方式)により伝送するデジタル無線マイクと、
テレビ受像機などの表示装置及びスピーカーを介して、背景映像と歌詞とを表示したり、歌唱者が選曲した特定曲の音源データ及び歌唱者音声信号を再生、且つ、出力するように制御し、前記デジタル無線マイクから伝送される信号を逆拡散させてから、復調し、前記デジタル信号を取り出し、これをデコードして、デジタル化された音声信号と制御信号とに分けて、音声信号に該当するデジタルデータをアナログ音声信号に変換して、スピーカーを介して出力し、且つ、前記デコードされたカラオケ装置の機能制御信号及びアンプ動作制御信号に相応する機能制御及びアンプ制御を行うカラオケ装置と、
前記カラオケ装置と通信ケーブルとを介して連結されていて、前記カラオケ装置から入力されたアンプ動作制御信号に従って、アンプ機能が調節され得るアンプと
を含んで構成されたことを特徴とする、カラオケ装置の選曲機能とアンプ調節機能とが内臓されたデジタル無線マイクを用いたカラオケシステム。
【請求項４】
前記デジタル無線マイクは、
スピーカーを介して再生されるカラオケ演奏音に従って歌唱する歌唱者の音声信号を電気的な信号に変換するマイクと、
歌唱者の選曲データと、カラオケ装置の機能制御及びアンプ動作制御のためのキー信号とを入力受けるキー入力部と、
前記マイクから入力される歌唱者の音声信号をデジタル信号に変換し、出力するデジタル変換モジュールと、
前記キー入力部から入力されるキー信号と前記デジタル変換モジュールから入力されるデジタル音声信号とを一つの信号にエンコードし、出力する機能処理ＣＰＵと、
前記機能処理ＣＰＵから入力されたデジタル信号に拡散コードを用いて、ＣＤＭＡ方式により前記カラオケ装置に伝送する無線送信モジュールと
を包含し構成されたことを特徴とする、請求項３に記載のカラオケ装置の選曲機能とアンプ調節機能とが内臓されたデジタル無線マイクを用いたカラオケシステム。
【請求項５】
前記デジタル変換モジュールは、
前記マイクから入力されるアナログ波形の歌唱者音声信号のデジタル変換を制御するＣＰＵと、
前記ＣＰＵの制御によって、前記マイクから入力されるアナログ波形の歌唱者音声信号をデジタル信号に変換し、前記機能処理ＣＰＵに出力するＡＤＣと、
デジタル変換のための駆動プログラムが記録されているＲＡＭとを
包含し構成されたことを特徴とする、請求項４に記載のカラオケ装置の選曲機能とアンプ調節機能とが内臓されたデジタル無線マイクを用いたカラオケシステム。
【請求項６】
前記カラオケ装置は、
前記デジタル無線マイクの無線送信モジュールから伝送される信号を前記拡散コードを用いて逆拡散させた後、復調し、前記デジタル信号を出力する無線受信モジュールと、
前記無線受信モジュールから入力されるデジタル信号をデコードして、歌唱者の音声信号、選曲データ、カラオケ装置の機能制御信号及びアンプ動作制御信号に分離し、出力する信号分離ＣＰＵと、
前記信号分離ＣＰＵから入力される歌唱者音声信号をアナログ信号に変換し、出力するアナログ変換モジュールと、
前記信号分離ＣＰＵから入力される選曲データに従って、カラオケ演奏音が出力できるようにして、連結されていたテレビ受像機などの表示装置に背景映像や歌詞情報を出力するように制御し、前記信号分離ＣＰＵから入力されるカラオケ装置の機能制御信号に従って制御を行うカラオケ装置の制御部と、
前記カラオケ装置の制御部のコントロールに従って、再生されるカラオケ演奏音機能を調節し、前記アナログ変換モジュールから入力されるアナログ波形の歌唱者音声信号と混合し、且つ、スピーカーを介して出力し、前記カラオケ装置の制御部のコントロールに従って、背景映像や歌詞情報を表示装置を介して出力するミキサー制御部と
を包含し、
前記アンプは、
前記信号分離ＣＰＵからアンプ動作制御信号の入力を受ける動作制御信号入力部と、
前記動作制御信号入力部を介して入力を受けたアンプ動作制御信号によって、アンプの動作を制御するアンプ制御部と
を包含して構成されることを特徴とする、請求項３に記載のカラオケ装置の選曲機能とアンプ調節機能とが内臓されたデジタル無線マイクを用いたカラオケシステム。
【請求項７】
前記アナログ変換モジュールは、
前記信号分離ＣＰＵから入力を受けた歌唱者音声信号に相応するデジタルデータのアナログ変換を制御するＣＰＵと、
前記ＣＰＵの制御に従って、前記信号分離ＣＰＵから入力された歌唱者音声信号に相応するデジタルデータをアナログ変換して、前記ミキサー制御部に出力するＤＡＣと、
アナログ変換のための駆動プログラムが記録されているＲＡＭと
を包含して構成されることをする特徴とする、請求項６に記載のカラオケ装置の選曲機能とアンプ調節機能とが内臓されたデジタル無線マイクを用いたカラオケシステム。
【発明の詳細な説明】
【技術分野】
【０００１】
本発明は、カラオケ装置の選曲機能とアンプ調節機能とが内臓されたデジタル無線マイク及びこれを用いたカラオケシステムに関する。更に詳述すれば、音声信号と動作信号とをデジタル信号に変換し、且つ、変換されたデジタル信号を拡散コードを利用したＣＤＭＡ方式により伝送することによって、周波数の干渉を回避し、綺麗な音質の音声信号をスピーカーを介して再生することができ、同時に使用者が容易にカラオケ機能及びアンプ機能を設定し得るカラオケ装置の選曲機能とアンプ調節機能とが内臓されたデジタル無線マイク及びこれを用いたカラオケシステムに関する。
【背景技術】
【０００２】
一般に、無線マイクを使用するカラオケ装置において、無線マイクを使用する使用者の音声信号をカラオケ装置に伝送する際、アナログ音声信号を８８〜１０８ＭＨｚ又は７００〜９００ＭＨｚ周波数帯域を介して伝達するといった方法を用いてきた。即ち、無線マイクの音声信号伝達方法として、アナログ波形(使用者の音声信号)をＵＨＦ送受信モジュールを用いて、カラオケ装置に伝送するようになる。
【０００３】
また、携帯用電話機のカラオケシステムにおいても、ＵＨＦ送受信モジュールを用いた伝送方式がそのまま引用されてきた。
【０００４】
図１は、前述したような一般の無線マイク型カラオケシステムの音声信号のアナログ信号処理装置を説明するためのブロック図であり、アナログ波形の使用者音声信号を変調し、カラオケ装置２０へ伝送する無線マイク１０と、カラオケ装置の選曲及び機能制御を行うためのカラオケ装置のリモコン３０と、無線マイク１０から伝送されるアナログ波形を復調し、カラオケ装置２０に伝送する無線マイクレシーバー４０及び無線マイクレシーバー４０から伝送された歌唱者のアナログ音声をスピーカーを介して出力し、カラオケ装置のリモコン３０から伝送される信号により制御されるカラオケ装置２０とからなる。
【０００５】
また、前記無線マイク１０は、歌唱者の音声信号を電気的な信号に変換するマイク１１と、マイク１１を介して入力されるアナログの歌唱者音声信号を変調し、無線マイクレシーバー４０に伝送する音声信号ＵＨＦ送信モジュール(ＵＨＦ  ＴＸ  Ｍｏｄｕｌ)１２とからなる。
【０００６】
さらに、前記カラオケ装置のリモコン３０は、 歌唱者の選曲データ(即ち、コード)又はカラオケ装置２０の各種機能制御のためのキー信号を入力受けるキー入力部３１と、キー入力部３１を介して入力される選曲データ及び機能制御のためのキー信号をＩＲに変換し、カラオケ装置２０に伝送するＩＲ送信モジュール３２とからなる。
【０００７】
さらにまた、前記無線マイクレシーバー４０は、音声信号を受信するアンテナ４１と、無線マイク１０の音声信号ＵＨＦ送信モジュール(ＵＨＦ  ＴＸ  Ｍｏｄｕｌ)１２を介して伝送されるアナログ信号を復調し、カラオケ装置２０のマイク入力部２１に出力する音声信号ＵＨＦ受信モジュール(ＵＨＦ  ＲＸ  Ｍｏｄｕｌ)４２とからなる。
【０００８】
さらにまた、前記カラオケ装置２０は、リモコン３０のＩＲ送信モジュール３２を介して伝送される選曲データ又は機能制御のためのキー信号を受信し、カラオケ装置の制御部(Ｋａｒａｏｋｅ  ｍａｉｎ  ｓｙｓｔｅｍ)２５に出力するＩＲ受信部２２と、無線マイクレシーバー４０から入力されるアナログの歌唱者音声信号をミキサー制御部(ｍｉｘｅｒ  Ｃｏｎｔｒｏｌ)２４に出力するマイク入力部２１と、曲毎に音源データを貯蔵しているメモリ２３と、カラオケ装置２０の全般的な動作を制御し、ＩＲ受信部２２から入力される選曲データ又は機能制御のためのキー信号に基づいてカラオケ装置２０の曲再生及び機能設定を制御するカラオケメインシステム２５からなるカラオケ装置の制御部及び、該制御部の制御によってマイク入力部２１から入力されるアナログの歌唱者音声信号とメモリ２３に貯蔵された曲毎の音源データをスピーカーに出力するミキサー制御部(ｍｉｘｅｒ  Ｃｏｎｔｒｏｌ)２４とからなる。
【０００９】
前述したように、従来の無線マイク１０とカラオケ装置２０及び無線マイクレシーバー４０との間の音声信号伝達過程と、カラオケ装置のリモコン３０とカラオケ装置２０との間のキー信号伝達過程とを説明すると、以下の通りである。
【００１０】
先ず、使用者(歌唱者)がカラオケ装置のリモコン３０に備わったキー入力部を介して歌唱しようとする曲のコード又はカラオケ装置２０の機能を制御するためのキー信号を入力すると、カラオケ装置のリモコン３０では、使用者の入力した選曲データ又は機能設定キー信号をＩＲ形態にカラオケ装置２０に伝送する。
【００１１】
そして、カラオケ装置２０では、カラオケ装置のリモコン３０から伝送される歌唱者入力の選曲データ又は機能設定キー信号に基づいて、メモリ２３に貯蔵されている特定曲の音源データを再生したり、又はカラオケ装置２０の機能制御を行う。
【００１２】
それから、使用者が選曲した特定曲の音源データが再生されると共に、歌唱し始めると、無線マイク１０の音声信号ＵＨＦ送信モジュール(ＵＨＦ  ＴＸ  Ｍｏｄｕｌ)１２では、マイク１１を介して入力されるアナログの使用者音声信号を変調し、無線マイクレシーバー４０に伝送する。
【００１３】
そして、無線マイクレシーバー４０の音声信号ＵＨＦ受信モジュール(ＵＨＦ  ＲＸ  Ｍｏｄｕｌ)４２では、無線マイク１０の音声信号ＵＨＦ送信モジュール(ＵＨＦ  ＴＸ  Ｍｏｄｕｌ)１２を介して伝送されるアナログ信号を受信、復調して、カラオケ装置２０のマイク入力部２１に出力する。
【００１４】
マイク入力部２１は、無線マイクレシーバー４０から復調されたアナログ信号を入力受け、且つ、ミキサー制御部(ｍｉｘｅｒ  Ｃｏｎｔｒｏｌ)２４では、マイク入力部２１を介して入力された歌唱者の音声信号をスピーカーを介して出力する。
【００１５】
しかし、前述したように、従来の無線マイク型カラオケ装置において、音声信号ＵＨＦ送信モジュール(ＵＨＦ  ＴＸ  Ｍｏｄｕｌ)１２を通じた変調方式を用いるアナログ信号処理方式は、無線マイクからアナログの歌唱者音声信号を変調して伝送する際、ＵＨＦ信号帯域における他の周波数との干渉現像により、本来の音声信号以外に不必要な雑音がスピーカーを介して共に再生できるため、本来の歌唱者音声信号を完璧に再現することができないという問題点があった。
【００１６】
また、従来には、無線マイクをカラオケ装置に用いる際、特定周波数帯域に固定してから用いるべきであったため、無線マイクとカラオケ装置との通信方式が一対一に固定され、他の無線マイクを使用しようとする場合には、別途の周波数チャンネルに変更して、使用しなければならないといった煩わしさがあった。
【００１７】
また、従来には、無線マイクとカラオケ装置のリモコンとが別々になっていたため、使用者が歌唱する途中で、音程、拍子、男女変換キー、節スキップなどのようなカラオケ演奏機能や、音量調節、音調節、エコー調節などのようなアンプ機能とを設定するためには、リモコン装置、カラオケ装置、アンプのそれぞれに備わった各種キー等を直接操作しなければならなかったため、歌唱する際に集中できないという問題点をも抱えていた。
【発明の開示】
【発明が解決しようとする課題】
【００１８】
本発明は、前述した問題点等に鑑みてなされたものであって、２.４ＧＨｚ、５.８ＧＨｚ帯域を使用するＣＤＭＡ(Code Division Multiple Access、 符号分割多重接続：以下、ＣＤＭＡ)方式のデジタル信号処理方式により無線マイク及びカラオケ装置を構成し、周波数の干渉を回避し、演奏音に応じて歌唱する歌唱者の本来音声信号を伝達することによって、綺麗な音質の音声信号を、スピーカーを介して再生させ得るようにするカラオケ装置の選曲機能とアンプ調節機能とが内臓されたデジタル無線マイク及びこれを利用したカラオケシステムを提案する。
【００１９】
本発明の他の目的は、無線マイクでアナログ波形の音声信号をデジタル信号にエンコードして伝送し、カラオケ装置で無線マイクから受信したデジタル信号をデコードして、本来の音声信号を綺麗に再生することによって、他帯域の不必要な雑音が混ぜられ、本来の音声信号と共に再生されることを防止するように、カラオケ装置の選曲機能とアンプ調節機能とが内蔵されたデジタル無線マイク及びこれを用いたカラオケシステムを提供することにある。
【００２０】
本発明のさらに他の目的は、ＣＤＭＡ方式により無線マイクそれぞれの固有ＩＤ情報を認識し、当該無線マイクの信号だけを別に分離して再生することによって、自動に一つのカラオケ装置に複数の無線マイク連結が可能となるカラオケ装置の選曲機能とアンプ調節機能とが内臓されたデジタル無線マイク及びこれを用いたカラオケシステムを提供することにある。
【００２１】
本発明のさらに他の目的は、無線マイク内に、カラオケ装置の機能動作ボタンとアンプ機能動作ボタンとを内蔵することによって、歌唱者が、リモコン、カラオケ装置、アンプなどを直接操作せずに、無線マイク一つのみでカラオケボックス内の周辺機器を一括して制御し得るカラオケ装置の選曲機能とアンプ調節機能とが内臓されたデジタル無線マイク及びこれを用いたカラオケシステムを提供することにある。
【課題を解決するための手段】
【００２２】
前記目的を達成するために、本発明の望ましい実施形態によれば、スピーカーを介して再生されるカラオケ演奏音に従って歌唱する歌唱者の音声信号を電気的な信号に変換するマイクと、歌唱者の選曲データとカラオケ装置の機能制御及びアンプ動作制御のためのキー信号とを入力受けるキー入力部と、前記マイクから入力される歌唱者の音声信号をデジタル信号に変換し、出力するデジタル変換モジュールと、前記キー入力部から入力されるキー信号と前記デジタル変換モジュールから入力されるデジタル音声信号とを一つの信号にエンコードして出力する機能処理ＣＰＵと、前記機能処理ＣＰＵから入力されたデジタル信号に拡散コードを用いて、ＣＤＭＡ方式により前記カラオケ装置に伝送する無線送信モジュールとを包含するが、前記無線マイク用カラオケ装置は、前記デジタル無線マイクから伝送される信号を逆拡散させてから復調して、前記デジタル信号を取り出し、且つ、これをデコードして、デジタル化された音声信号と制御信号とに分離し、音声信号に該当するデジタルデータをアナログ音声信号に変換し、スピーカーを介して出力し、且つ、前記デコードされたカラオケ装置の機能制御信号及びアンプ動作制御信号に相応する機能制御及びアンプ制御を行うことを特徴とするカラオケ装置の選曲機能とアンプ調節機能とが内臓されたデジタル無線マイクが提供される。
【００２３】
また、前記デジタル変換モジュールは、前記マイクから入力されるアナログ波形の歌唱者音声信号のデジタル変換を制御するＣＰＵと、前記ＣＰＵの制御によって、前記マイクから入力されるアナログ波形の歌唱者音声信号をデジタル信号に変換し、前記機能処理ＣＰＵに出力するＡＤＣと、デジタル変換のための駆動プログラムが記録されているＲＡＭとを包含し構成することがさらに好ましい。
【００２４】
さらに、本発明の他の実施形態によれば、現在、再生されている演奏音に従って、歌唱する歌唱者のアナログ音声信号をデジタル信号に変換し、カラオケ装置に伝送し、且つ、これを受信し、カラオケ装置につながったスピーカーを介して再生、出力し得るようになるデジタル無線マイクを用いたカラオケシステムにおいて、選曲とカラオケ装置の機能制御及びアンプ動作制御のための入力ボタンが備わり、歌唱する歌唱者のアナログ音声信号をデジタル信号に変換し、且つ、デジタル信号に変換された歌唱者の音声信号と、歌唱者入力の制御信号とをエンコードし、予め設定されていた拡散コードを用いて、ＣＤＭＡ方式(拡散過程)により伝送するデジタル無線マイクと、テレビ受像機などの表示装置及びスピーカーを介して、背景映像と歌詞とを表示したり、歌唱者が選曲した特定曲の音源データ及び歌唱者音声信号を再生、且つ、出力するように制御し、前記デジタル無線マイクから伝送される信号を逆拡散させてから、復調し、前記デジタル信号を取り出し、これをデコードして、デジタル化された音声信号と制御信号とに分けて、音声信号に該当するデジタルデータをアナログ音声信号に変換して、スピーカーを介して出力し、且つ、前記デコードされたカラオケ装置の機能制御信号及びアンプ動作制御信号に相応する機能制御及びアンプ制御を行うカラオケ装置と、前記カラオケ装置と通信ケーブルとを介して連結されていて、前記カラオケ装置から入力されたアンプ動作制御信号に従って、アンプ機能が調節されるアンプとを含んで構成されたことを特徴とするカラオケ装置の選曲機能とアンプ調節機能とが内臓されたデジタル無線マイクを用いたカラオケシステムが提供される。
【００２５】
また、前記カラオケ装置は、デジタル無線マイクの無線送信モジュールから伝送される信号を前記拡散コードを用いて逆拡散させた後、復調し、前記デジタル信号を出力する無線受信モジュールと、前記無線受信モジュールから入力されるデジタル信号をデコードして歌唱者の音声信号、選曲データ、カラオケ装置の機能制御信号及びアンプ動作制御信号に分離して出力する信号分離ＣＰＵと、前記信号分離ＣＰＵから入力される歌唱者の音声信号をアナログ信号に変換し、出力するアナログ変換モジュールと、前記信号分離ＣＰＵから入力される選曲データに従ってカラオケ演奏音が出力できるようにし、且つ、連結されたテレビ受像機などの表示装置に背景映像や歌詞情報を出力するように制御し、前記信号分離ＣＰＵから入力されるカラオケ装置の機能制御信号に従って制御機能を行うカラオケ装置の制御部と、前記カラオケ装置の制御部の制御に従って再生されるカラオケ演奏音機能を調節し、前記アナログ変換モジュールから入力されるアナログ波形の歌唱者音声信号とミキシングし、スピーカーを介して出力し、且つ、前記カラオケ装置の制御部の制御に従って、背景映像や歌詞情報を表示装置に出力するミキサー制御部とを包含して、構成することがさらに好ましい。
【発明の効果】
【００２６】
前述したように、本発明によれば、２.４ＧＨｚ、５.８ＧＨｚ帯域のＣＤＭＡ信号処理方式により無線マイク及びカラオケ装置を構成し、本来の歌唱者音声信号をデジタル化してから伝送して、カラオケ装置でこれをデコードして、本来の音声信号だけを再生、処理することによって、他帯域の周波数干渉による雑音を防止し、本来の歌唱者音声信号を綺麗に再生することができる。これにより、カラオケ装置を利用する歌唱者らを満足させ得る効果がある。
【００２７】
また、一つのカラオケ装置に複数の無線マイクを連結する場合にも、チャンネルごとに手動で指定する必要がなく、無線マイクの固有番号認識を介して各無線マイクの信号を別途に分離し、再生し得るため、一対多の連結が可能となり、従来の一対一方式の限界を克服し得る効果もある。
【発明を実施するための最良の形態】
【００２８】
以下、添付図面を参照として、本発明によるカラオケ装置の選曲機能とアンプ調節機能とが内臓されたデジタル無線マイク及びこれを用いたカラオケシステムを詳しく説明する。
【００２９】
図２は、本発明によるカラオケシステムの概略を示した構成図であり、図３は、本発明によるデジタル無線マイクを利用したカラオケシステムの音声信号と制御信号のデジタル信号処理装置の構成を示したブロック図である。 
【００３０】
図２に示されたように、本発明によるカラオケシステムは、デジタル無線マイク１００、カラオケ装置２００、及びアンプ３００を包含し得る。
【００３１】
以下で、図３を参照として、本発明の望ましい一実施形態によるデジタル無線マイクとカラオケ装置及びアンプからなるカラオケシステムの動作過程を詳しく説明する。
【００３２】
図示されたように、デジタル無線マイク１００は、２.４ＧＨｚ、５.８ＧＨｚ帯域のＣＤＭＡ方式のデジタル信号処理方式を使用し、所望曲の選曲とカラオケ装置２００の機能制御のための各種キー等が備わり、歌唱する歌唱者の音声信号をデジタル信号に変換し、且つ、カラオケ装置２００の各種機能動作設定(例えば、スタート、停止、予約などのカラオケ装置の基本機能と、メロディ選択、リズムの速度調節、ボリューム調節、エコー音響効果などの応用機能)のための機能制御信号と、デジタル信号に変換された歌唱者の音声信号とを一つの信号にエンコードし、変調した上で、拡散(ｓｐｒｅａｄ)コードを包含させ、広帯域に伝送するＣＤＭＡ方式を用いることで、カラオケ装置２００に伝送することになる。
【００３３】
前述したデジタル無線マイク１００は、カラオケ装置２００につながっているスピーカーを介して再生される演奏音に従って、歌唱する歌唱者の音声信号を電気的な信号に変換するマイク１１０と、歌唱者の選曲データ又はカラオケ装置２００の各種機能制御のためのキー信号を入力受けるカラオケ装置制御部のキー入力部１２０及びアンプ制御部のキー入力部１２２と、アナログ信号のデジタル変換のためのチップセットによりマイク１１０から入力されるアナログ波形の歌唱者音声信号をデジタル信号に変換し、出力するデジタル変換モジュール１３０と、キー入力部１２０から入力される選曲データ又は各種機能制御信号と、デジタル変換済みの歌唱者音声信号とを一つの信号にエンコードする機能処理ＣＰＵ１５０と、機能処理ＣＰＵ１５０を介してエンコードされた信号に拡散コードを付与し、ＣＤＭＡ方式によりカラオケ装置２００に伝送する無線送信モジュール(２.４Ｇ  ＴＸ  Ｍｏｄｕｌｅ)１４０とからなる。
【００３４】
また、前記デジタル変換モジュール１３０は、マイク１１０から入力されるアナログ波形の歌唱者音声信号のデジタル変換を制御するＣＰＵ１３２と、ＣＰＵ１３２の制御によってマイク１１０から入力されるアナログ波形の歌唱者音声信号をデジタル信号に変換し、機能処理ＣＰＵ１５０に出力するＡＤＣ(Ａｎａｌｏｇ  ｔｏ  Ｄｉｇｉｔａｌ  Ｃｏｎｖｅｒｔｅｒ)１３４と、デジタル変換のための駆動プログラムが記録されているＲＡＭ１３６とからなる。
【００３５】
カラオケ装置２００は、ケーブルを介してつながったテレビ受像機などの表示装置及びスピーカーを介して背景映像と歌詞とを表示したり、歌唱者が選曲した特定曲の音源データを再生するように制御し、デジタル無線マイク１００からＣＤＭＡ方式により伝送される信号を受信し、伝送時に用いられた拡散コードと同じコードを利用して逆拡散させた後、復調し、且つ、デコードして、歌唱者音声信号及び選曲データに相応するデジタル信号に分離させ、歌唱者音声信号に相応するデジタル信号をアナログ信号に変換し、変換されたアナログの歌唱者音声信号を、スピーカーを介して再生、出力し、且つ、各種機能動作の制御信号による動作制御を行う。
【００３６】
この際、前記カラオケ装置２００は、デジタル無線マイク１００の無線送信モジュール(２.４Ｇ  ＴＸ  Ｍｏｄｕｌｅ)１４０から伝送される信号を前記拡散コードを利用し、逆拡散させた後、復調し、デジタル信号に出力する無線受信モジュール(２.４Ｇ  ＲＸ  Ｍｏｄｕｌｅ)２１０と、無線受信モジュール(２.４Ｇ  ＲＸ  Ｍｏｄｕｌｅ)２１０から入力されるデジタル信号をデコードして、歌唱者音声信号と選曲データ及び各種機能制御信号とに分離する信号分離ＣＰＵ２３０と、分離された歌唱者音声信号に相応するデジタルデータをアナログ信号に変換して、本来の信号に再生、処理するように行うアナログ変換モジュール２２０と、信号分離ＣＰＵ２３０から入力される選曲データに従って、カラオケ演奏音をミキサー制御部(ｍｉｘｅｒ  ｃｏｎｔｒｏｌ)２５０に出力し、連結されているテレビ受像機などのような表示装置に背景映像や歌詞情報を出力するように制御し、且つ、前記信号分離ＣＰＵ２３０から入力されるカラオケ装置の機能制御信号に従って、ミキサー制御部(ｍｉｘｅｒ  ｃｏｎｔｒｏｌ)を制御するカラオケメインシステム(２４０)からなるカラオケ装置の制御部と、該制御部のコントロールに応じて再生されるカラオケ演奏音機能を調節し、アナログ変換モジュール２２０から入力されるアナログ波形の歌唱者音声信号と混合し、スピーカーを介して出力し、且つ、カラオケメインシステム(２４０)からなるカラオケ装置の制御部のコントロールによって、背景映像や歌詞情報を表示装置に出力するミキサー制御部(ｍｉｘｅｒ  ｃｏｎｔｒｏｌ)２５０からなる。
【００３７】
また、前記アナログ変換モジュール２２０は、無線受信モジュール(２.４Ｇ  ＲＸ  Ｍｏｄｕｌｅ)２１０で前記拡散コードを利用し、逆拡散させた後、復調されたデジタル信号のアナログ変換を制御するＣＰＵ２２２と、ＣＰＵ２２２の制御によって、歌唱者音声信号に相応するデジタル信号をアナログ信号に変換し、ミキサー制御部２５０に出力するＤＡＣ(Ｄｇｉｔａｌ  ｔｏ  Ａｎａｌｏｇ  Ｃｏｎｖｅｒｔｅｒ)２２４と、アナログ変換のための駆動プログラムが記録されているＲＡＭ２２６とからなる。
【００３８】
一方、本発明によるデジタル無線マイク１００は、それぞれ固有番号を有していて、無線マイクからカラオケ装置２００にデータが伝送される場合、マイク固有番号によるチャンネルエンコーディングが行われ、カラオケ装置２００では、マイク固有番号に従ってチャンネルデコーディングが行われて、歌唱者音声を再生するため、一つのカラオケ装置２００に多数のデジタル無線マイク１００を別のチャンネルに設定せずに連結し得る。
【００３９】
即ち、前述したデジタル無線マイク１００を、一つではない、複数個を用いる場合でも、カラオケ装置２００では、デジタル無線マイク１００の固有番号を認識することで、各デジタル無線マイク１００の信号を別途に分離し再生し得るため、各デジタル無線マイク１００毎に、チャンネルを手動で指定、使用しなくてもよい。
【００４０】
次に、以上の如く、本発明による無線マイク型カラオケ装置の音声信号と動作信号のデジタル信号処理装置の動作を詳しく説明する。
【００４１】
先ず、歌唱者がデジタル無線マイク１００に備わったキーを操作することによって、所望曲をリクエストしたり、機能制御を行うと、デジタル無線マイク１００から当該選曲データ又は機能設定データをカラオケ装置２００に伝送し、カラオケ装置２００では、歌唱者設定の選曲データ又は機能設定データに基づいてスピーカーを介して当該曲の再生、出力を処理する。
【００４２】
前述したように、特定曲の演奏音がスピーカーを介して再生されると、歌唱者は、デジタル無線マイク１００を用いて歌唱することになるが、マイク１１０を介して入力される歌唱者の音声信号は、デジタル変換モジュール１３０を介してデジタル信号にエンコードされ、且つ変換するが、無線送信モジュール(２.４Ｇ  ＴＸ  Ｍｏｄｕｌｅ)１４０で予め設定されていた拡散コードを介してＣＤＭＡ方式によりカラオケ装置２００に伝送される。
【００４３】
すると、カラオケ装置２００では、無線受信モジュール(２.４Ｇ  ＲＸ  Ｍｏｄｕｌｅ)２１０を介して、デジタル無線マイク１００から受信した信号を同じ拡散コードを利用し、逆拡散させた後、復調し、デジタル信号を取り出し、且つ、信号分離ＣＰＵ２３０は、無線受信モジュール(２.４Ｇ  ＲＸ  Ｍｏｄｕｌｅ)２１０から入力されたデジタル信号をデコードし、歌唱者の音声信号と機能制御信号とに分離し、歌唱者の音声信号は、アナログ変換モジュール２２０に出力し、且つ、機能制御信号は、カラオケメインシステム(２４０)からなるカラオケ装置の制御部に出力することになる。アナログ変換モジュール２２０では、デジタル化された歌唱者の音声信号をアナログ信号に変換し、ミキサー制御部(Ｍｉｘｅｒ  Ｃｏｎｔｒｏｌ)２５０に出力することになる。
【００４４】
そして、ミキサー制御部(Ｍｉｘｅｒ  Ｃｏｎｔｒｏｌ)２５０を介して混合処理されたアナログ波形の歌唱者音声信号がスピーカーに再生、出力されることによって、歌唱者らはデジタル無線マイク１００を用いる際、雑音のない本来の歌唱者音声信号をスピーカーを介して聞くことができる。
【００４５】
即ち、デジタル無線マイク１００では、アナログ波形の歌唱者音声信号をデジタル信号にエンコードし、これをＣＤＭＡ方式により予め設定されていた拡散コードを利用し、拡散過程を経てから伝送し、且つ、カラオケ装置２００でＣＤＭＡ方式により伝送された信号を逆拡散させた後、復調し、デコード処理することによって、周波数の干渉を防止し、本来の歌唱者音声信号をそのまま綺麗な音質に再生し得ることになる。
【００４６】
一方、カラオケメインシステム２４０からなるカラオケ装置の制御部では、信号分離ＣＰＵ２３０から入力される機能制御信号に基づいてカラオケ装置２００の機能を制御し、歌唱者の望む機能に調節されたカラオケ演奏音がミキサー制御部(Ｍｉｘｅｒ  Ｃｏｎｔｒｏｌ)２５０を介してスピーカーに再生、出力できるようにする。
【図面の簡単な説明】
【００４７】
【図１】一般の無線マイク型カラオケシステムの音声信号のアナログ信号処理装置を説明するためのブロック図、。
【図２】本発明によるカラオケシステムの概略を示した構成図、
【図３】本発明によるデジタル無線マイクを用いたカラオケシステムの音声信号と制御信号とのデジタル信号処理装置の構成を示したブロック図である。
【符号の説明】
【００４８】
１００  デジタル無線マイク
１１０  マイク
１２０  カラオケ装置制御部のキー入力部
１２２  アンプ制御部のキー入力部
１３０  デジタル変換モジュール
１４０  無線送信モジュール(２.４Ｇ  ＴＸ  Ｍｏｄｕｌｅ)
１５０  機能処理ＣＰＵ
２００  カラオケ装置
２１０  無線受信モジュール(２.４Ｇ  ＲＸ  Ｍｏｄｕｌｅ)
２２０  アナログ変換モジュール
２３０  信号分離ＣＰＵ
２４０  カラオケ装置制御部(Ｋａｒａｏｋｅ  Ｍａｉｎ  Ｓｙｓｔｅｍ)    
２５０  ミキサー制御部(Ｍｉｘｅｒ  Ｃｏｎｔｒｏｌ)
３００  アンプ
３１０  動作制御信号入力部
３２０  アンプ制御部
【図１】
2006293253.tif 000003
【図２】
2006293253.tif 000004
【図３】
2006293253.tif 000005